(57)【特許請求の範囲】
【請求項１】
金属サッシ枠に障子を開閉自在に取付けた金属サッシ窓を断熱サッシ窓に改修する方法であって、
前記金属サッシ枠の室内外方向中間部に穴を加工して室内側部と室外側部とに熱が伝わり難くすることで断熱サッシ窓に改修することを特徴とするサッシ窓の改修方法。
【請求項２】
金属サッシ枠に加工した穴を断熱材で閉塞するようにした請求項１記載のサッシ窓の改修方法。
【請求項３】
金属サッシ枠を形成する各枠の枠本体から障子保持部材を除去し、
その枠本体に新らしい障子保持部材を取付け、
前記枠本体における新らしい障子保持部材よりも室内寄り部に穴が加工されている請求項２記載のサッシ窓の改修方法。
【請求項４】
金属サッシ枠を形成する各枠の枠本体から障子保持部材を除去し、
その枠本体に新らしい障子保持部材を取付け、
この枠本体の室内外側方向中間部に穴を加工して室内側部と室外側部とに熱が伝わり難くし、
前記新らしい障子保持部材は、室内側部材と室外側部材を断熱材で連結した断熱形材で、その室内側部材と室外側部材を連結する断熱材と、前記枠本体の穴が室内外方向に略同一位置である請求項１記載のサッシ窓の改修方法。
【発明の詳細な説明】
【０００１】
【発明の属する技術分野】
本発明は、金属サッシ枠に障子を開閉自在に装着した金属サッシ窓を断熱サッシ窓に改修する方法に関する。
【０００２】
【従来の技術】
サッシ窓としては、例えば上枠と下枠と左右の縦枠を枠組みしたサッシ枠に室内障子と室外障子を引き違いに装着した引き違い窓が知られている。
前述の引き違い窓は、上枠、下枠、縦枠をアルミ押出形材、スチールとした金属サッシ枠を備えた金属引き違い窓と、前記上枠、下枠、縦枠を断熱形材とした断熱サッシ枠を備えた断熱引き違い窓が知られている。
【０００３】
前述の金属引き違い窓は、室内と室外との温度差が大きいと室外の冷気がサッシ枠の室内側部に伝わり、サッシ枠の室内側部に結露が生じるが、前述の断熱引き違い窓は、室内と室外との温度差が大きい場合でも室外の冷気がサッシ枠の室内側部に伝わることがなく、サッシ枠の室内側部に結露が生じないので、この断熱引き違い窓は主として室内と室外との温度差が大きい寒冷地において用いられる。
【０００４】
【発明が解決しようとする課題】
近年、室内と室外との温度差が小さい比較的温暖な地域においても、居住スペースの快適化などのために金属引き違い窓を断熱引き違い窓に改修することが行われるようになってきた。
前述の金属引き違い窓を断熱引き違い窓に改修する方法は種々提案されている。
例えば、金属引き違い窓の金属サッシ枠に断熱引き違い窓の断熱サッシ枠を取付けて断熱引き違い窓とすることが提案されている。
【０００５】
しかしながら、前述のように金属サッシ枠に断熱サッシ枠を取付けるのは大変な作業で時間がかかり、居住者の日常生活に悪影響を与える。
つまり、前述の改修作業は人が居住したままで実施するのが一般的であるから、改修に時間がかかると長い時間居住者の日常生活に悪影響を与える。
また、断熱サッシ枠を用いる必要があることと前述の大変な作業で時間がかかり施工コストが高いことが相俟って、従来の改修方法は高価になってしまう。
【０００６】
本発明は、前述の課題を解決すべきなされたもので、その目的は、簡単な作業で短時間に施工できると共に、断熱サッシ枠を用いないで金属サッシ窓を断熱サッシ窓に改修できるようにしたサッシ窓の改修方法を提供することである。
【０００７】
【課題を解決するための手段】
本発明者等は、前述の金属サッシ窓を断熱サッシ窓に改修することについて鋭意研究、実験を行なった結果、次のことを見出し本発明に到った。
従来の既存の金属サッシ枠に断熱サッシ枠を取付けて改修した断熱サッシ窓は断熱性に優れ、室内と室外の温度差が大きい場合においてもサッシ枠の室内側部に結露が生じなかった。
前述のようにして改修した断熱サッシ窓は、室内と室外の温度差が小さい場合においても当然にサッシ枠の室内側部に結露が生じなかったが、室内と室外の温度差が小さいことに着目し、その断熱サッシ枠の室内側部と室外側部との熱の伝わりを変えたところ、従来の断熱サッシ枠よりも熱が伝わり易い断熱サッシ枠であってもサッシ枠の室内側部に結露が生じなかった。
【０００８】
前述のことに鑑み更に研究・実験した結果、断熱サッシ枠を取付けることなしに、既存の金属サッシ枠自体の室内側部と室外側部とに熱が伝わり難くすることで、室内と室外との温度差が小さい場合にはサッシ枠の室内側部に結露が生じないことを見出し、本発明に到った。
【０００９】
第１の発明は、金属サッシ枠に障子を開閉自在に取付けた金属サッシ窓を断熱サッシ窓に改修する方法であって、
前記金属サッシ枠の室内外方向中間部に穴を加工して室内側部と室外側部とに熱が伝わり難くすることで断熱サッシ窓に改修することを特徴とするサッシ窓の改修方法である。
【００１０】
第２の発明は、第１の発明において金属サッシ枠に加工した穴を断熱材で閉塞するようにしたサッシ窓の改修方法である。
【００１１】
第３の発明は、第２の発明において金属サッシ枠を形成する各枠の枠本体から障子保持部材を除去し、
その枠本体に新らしい障子保持部材を取付け、
前記枠本体における新らしい障子保持部材よりも室内寄り部に穴が加工されているサッシ窓の改修方法である。
【００１２】
第４の発明は、第１の発明において金属サッシ枠を形成する各枠の枠本体から障子保持部材を除去し、
その枠本体に新らしい障子保持部材を取付け、
この枠本体の室内外側方向中間部に穴を加工して室内側部と室外側部とに熱が伝わり難くし、
前記新らしい障子保持部材は、室内側部材と室外側部材を断熱材で連結した断熱形材で、その室内側部材と室外側部材を連結する断熱材と、前記枠本体の穴が室内外方向に略同一位置であるサッシ窓の改修方法である。
【００１３】
【作  用】
第１の発明によれば、加工した穴によって金属サッシ枠の室内側部と室外側部とに熱が伝わり難いから、室内と室外の温度差が小さい場合には室外の冷気によって金属サッシ枠の室内側部に結露が生じないようにできる。
よって、金属サッシ枠に穴を加工することで断熱サッシ窓に改修でき、短時間に改修できると共に、断熱サッシ枠を取付ける必要がない。
したがって、簡単な作業で短時間に施工できると共に、断熱サッシ枠を用いないで金属サッシ窓を断熱サッシ窓に改修できる。
【００１４】
第２の発明によれば、金属サッシ枠に加工した穴は断熱材で閉塞されるので、穴加工による金属サッシ枠の強度低下を補償できると共に、穴が見えずに見栄えが良い。
【００１５】
第３の発明によれば、金属サッシ枠の枠本体に新らしい障子保持部材を取付けるので、その新らしい障子保持部材を断熱障子の見込み寸法に対応したものとすることで、断熱障子を装着することができる。
また、枠本体の穴は新らしい障子保持部材よりも室内寄りに加工してあるから、金属の障子保持部材を用いても、その障子保持部材によって室外の冷気が金属サッシ枠の室内側部に伝わることがない。
【００１６】
第４の発明によれば、新らしい障子保持部材の室内側部材、室外側部材を、枠本体の穴よりも室内側部、室外側部にビス等でそれぞれ強固に取付できる。
【００１７】
【発明の実施の形態】
金属サッシ窓を断熱サッシ窓に改修する方法の第１の実施の形態を説明する。
図１と図２は金属サッシ窓、例えば金属引き違い窓の縦断面図、横断面図であり、建物躯体１の開口部２に金属引き違い窓の金属サッシ枠３が取付けてある。  この金属サッシ枠３は上枠４、下枠５、縦枠６を枠組みしたもので、その各枠に連結したブラケット７を建物躯体１に埋設したアンカー８に溶接して金属サッシ枠３を取付けている。
前記金属サッシ枠３に、内障子９と外障子１０が引き違いに装着されて金属引き違い窓を形成している。
前記内障子９、外障子１０は図１と図２では概略的に図示してある。
【００１８】
前記上枠４、下枠５、縦枠６は室内外側方向に向う枠本体と複数の内向片と障子保持部材を備え、アルミ押出形材、スチール等の金属である。前記障子保持部材は障子を閉じ状態でサッシ枠内に保持する部材である。
例えば、前記上枠４は室内外側方向に向う枠本体４ａと、この枠本体４ａに一体的に設けた室内側内向片４ｂ、内障子９を保持する部材、つまり内障子上レール４ｃ、外障子１０を保持する部材、つまり外障子上レール４ｄ、室外側内向片４ｅを備えたアルミ押出形材である。
前記下枠５は室内外側方向に向う枠本体５ａと、この枠本体５ａに一体的に設けた室内側内向片５ｂ、内障子９を保持する部材、つまり内障子下レール５ｃ、外障子１０を保持する部材、つまり外障子下レール５ｄ、室外側内向片５ｅを備えたアルミ押出形材である。
前記縦枠６は室内外側方向に向う枠本体６ａと、この枠本体６ａに一体的に設けた室内側内向片６ｂ、障子を保持する部材、つまり中間内向片６ｃ、室外側内向片６ｄを備えたアルミ押出形材である。
【００１９】
前記金属引き違い窓を断熱引き違い窓に改修する方法を説明する。
前記内障子９、外障子１０を取り外し、前記上枠４、下枠５、縦枠６を、室内側部と室外側部とに熱が伝わり難く加工する。例えば、各枠の枠本体４ａ，５ａ，６ａにおける室内外側方向中間で長手方向に間隔を置いた複数部分に穴１１をそれぞれ加工する。この穴１１は室内外側方向に短かく、長手方向に長いスリット状の穴である。
このスリット状の穴１１はグラインダーやセーバーソー、プラズマ切断機等で加工する。
すなわち、前述の改修作業は室内に人が居住している状態で実施されることが多く、火炎や火花が発生しない加工方法で加工することが好ましい。
【００２０】
これにより、上枠４、下枠５、縦枠６の室内側部と室外側部の連続する面積が減少し、金属サッシ枠３の室外側部と室内側部とに亘って熱が伝わり難くなる。
【００２１】
前記スリット状の穴１１は断熱材１１ａで閉塞されている。例えばウレタン系樹脂などの断熱材を注入充填したり、樹脂、ゴムなどの断熱材の成形品を嵌め込んでスリット状の穴１１を閉塞する。
これにより、各枠の強度低下を補償すると共に、穴１１を閉塞して見栄えを良くすることができる。
【００２２】
前述のスリット状の穴１１を枠本体４ａ，５ａ，６ａの室内外側方向中間部に長手方向に連続して形成（つまり、切断）することで、その室内側部と室外側部に熱が伝わらないようにしても良い。
【００２３】
前記上枠４、下枠５、縦枠６の室内側部に、断熱性を有し表面（室内に露出する面）に熱が伝わり難い内部カバー１２を取付ける。
例えば、アルミ押出形材のカバー１３の表面に樹脂カバー１４を嵌め込んで取付ける。アルミ押出形材のカバー１３の裏面にウレタン等の断熱樹脂を吹きつけ、又は裏面に成形した断熱材を設ける。木材、合成木で内部カバー１２を作製する。
【００２４】
最後に、前述のように取り外した内障子９と外障子１０を金属サッシ枠３に装着する。
この引き違い窓は、金属サッシ枠３の室内側部と室外側部とに熱が伝わり難いので、室内と室外との温度差がある場合に室外の冷気が金属サッシ枠３の室内側部に伝わり難く、室内と室外との温度差が小さい場合には金属サッシ枠３の室内側部に結露が生じない。
よって、室内と室外との温度差が小さい比較的温暖な地域に用いる断熱引き違い窓として好適である。
【００２５】
前記既存の内障子９、外障子１０は、アルミ押出形材、スチールの框を框組みして内部にガラスを装着した金属障子であり、その内障子９、外障子１０の室内側部と室外側部に熱が伝わり易いので、この内障子９、外障子１０を断熱障子に取り替えることで断熱性に優れた断熱引き違い窓にも改修できる。
例えば、断熱形材より成る框を用いた断熱障子などの室内側部と室外側部とに熱が伝わり難い障子と交替すれば良い。
【００２６】
前述の断熱障子は金属障子に比べて見込み寸法（室内外側方向の寸法）が大きいので、金属サッシ枠３の障子保持部材で保持できないことがある。例えば前述の各上レール、下レールに装着して閉じ状態で保持できないことがある。
この場合には、金属サッシ枠３を形成する各枠の枠本体から障子保持部材を切断等で除去し、断熱障子に対応した寸法、形状の障子保持部材を枠本体に取付ける。
【００２７】
例えば、図３と図４に示すように、上枠４の内障子上レール４ｃ、外障子上レール４ｄ、下枠５の内障子下レール５ｃ、外障子下レール５ｄ、縦枠６の中間内向片６ｃをそれぞれカッタ等で切断して除去する。
上枠４の枠本体４ａに、取付用板２０に内障子上レール２１と外障子上レール２２を備えた上障子保持部材２３をビス等で取付ける。
下枠５の枠本体５ａに、取付用板２４に内障子下レール２５と外障子下レール２６を備えた下障子保持部材２７をビス等で取付ける。
縦枠６の枠本体６ａに、取付用板２８に内向き片２９を備えた縦障子保持部材３０をビス等で取付ける。
【００２８】
前記上障子保持部材２３の室内外方向の取付け位置及び内障子上レール２１と外障子上レール２２との間隔、下障子保持部材２６の室内外方向の取付け位置及び内障子下レール２５と外障子下レール２６との間隔、縦障子保持部材３０の室内外方向の取付け位置は断熱障子の見込み寸法に対応した値である。
【００２９】
この場合には、前記穴１１を、各枠本体４ａ，５ａ，６ａにおける各障子保持部材よりも室内寄り部分に形成する。
このようにすることで、各障子保持部材がアルミ押出形材、スチール等の金属であっても、その障子保持部材を伝わって各枠の室内側部に室外の冷気が伝わることがない。
【００３０】
前述の場合に、各枠の室外側内向片４ｅ，５ｅ，６ｄが邪魔であれば、それぞれ切断除去する。
各障子保持部材を室外側内向片を備えた形状とする。
【００３１】
このようにすることで、金属サッシ枠３に、金属障子と見込み寸法が異なる断熱障子、例えば断熱の内障子９、外障子１０を装着し、閉じ状態で金属サッシ枠３内に保持することができる。
【００３２】
前記各障子保持部材を金属で、かつ室内側部と室外側部とに熱が伝わり難いものとすれば、断熱性がより向上する。
例えば、図５と図６に示すように、前記上障子保持部材２３の取付用板２０、下障子保持部材２７の取付用板２４、縦障子保持部材３０の取付用板２８を、室内側部材２０ａ，２４ａ，２８ａと室外側部材２０ｂ，２４ｂ，２８ｂを断熱材２０ｃ，２４ｃ，２８ｃで連結した断熱形材とする。
【００３３】
この場合には、金属サッシ枠３の各枠の枠本体４ａ，５ａ，６ａに形成した穴１１は各取付用板２０，２４，２８の断熱材２０ｃ，２８ｃ（つまり、室内側部と室外側部との境い目部分）と室内外方向に同一位置とする。
【００３４】
前述の実施の形態では引き違い窓について述べたが、回転窓、辷り出し窓、内・外倒し窓などのサッシ窓にも適用できる。
【００３５】
【発明の効果】
請求項１に係る発明によれば、加工した穴によって金属サッシ枠の室内側部と室外側部とに熱が伝わり難いから、室内と室外の温度差が小さい場合には室内の冷気によって金属サッシ枠の室内側部に結露が生じないようにできる。
よって、金属サッシ枠に穴を加工することで断熱サッシ窓に改修でき、短時間に改修できると共に、断熱サッシ枠を取付ける必要がない。
したがって、簡単な作業で短時間に施工できると共に、断熱サッシ枠を用いないで金属サッシ窓を断熱サッシ窓に改修できる。
【００３６】
請求項２に係る発明によれば、金属サッシ枠に加工した穴は断熱材で閉塞されるので、穴加工による金属サッシ枠の強度低下を補償できると共に、穴が見えずに見栄えが良い。
【００３７】
請求項３に係る発明によれば、金属サッシ枠の枠本体に新らしい障子保持部材を取付けるので、その新らしい障子保持部材を断熱障子の見込み寸法に対応したものとすることで、断熱障子を装着することができる。
また、枠本体の穴は新らしい障子保持部材よりも室内寄りに加工してあるから、金属の障子保持部材を用いても、その障子保持部材によって室外の冷気の金属サッシ枠の室内側部に伝わることがない。
【００３８】
請求項４に係る発明によれば、新らしい障子保持部材の室内側部材、室外側部材を、枠本体の穴よりも室内側部、室外側部にビス等でそれぞれ強固に取付できる。
【図面の簡単な説明】
【図１】本発明の改修方法の第１の実施の形態で改修した引き違い窓の縦断面図である。
【図２】本発明の改修方法の第１の実施の形態で改修した引き違い窓の横断面図である。
【図３】本発明の改修方法の第２の実施の形態で改修した引き違い窓の縦断面図である。
【図４】本発明の改修方法の第２の実施の形態で改修した引き違い窓の横断面図である。
【図５】本発明の改修方法の第３の実施の形態で改修した引き違い窓の縦断面図である。
【図６】本発明の改修方法の第３の実施の形態で改修した引き違い窓の横断面図である。
【符号の説明】
３…金属サッシ枠
４…上枠
４ａ…枠本体
４ｃ…内障子上レール（障子保持部材）
４ｄ…外障子上レール（障子保持部材）
５…下枠
５ａ…枠本体
５ｃ…内障子下レール（障子保持部材）
５ｄ…外障子下レール（障子保持部材）
６…縦枠
６ａ…枠本体
６ｃ…中間内向片（障子保持部材）
１１…穴
１１ａ…断熱材
２３…上障子保持部材
２７…下障子保持部材
３０…縦障子保持部材
【図１】
0003622084.tif 000002
【図２】
0003622084.tif 000003
【図３】
0003622084.tif 000004
【図４】
0003622084.tif 000005
【図５】
0003622084.tif 000006
【図６】
0003622084.tif 000007